(57)【要約】【課題】  分岐ブレーカへの電線の接続を容易に実施できるよう電線を入出させる開口部を十分な大きさとしても、基台の強度を維持できる分電盤ケースの基台を提供する。【解決手段】 主幹ブレーカ１１が組み付けられる第１エリアＥ１と、分岐ブレーカ１２が組み付けられる第２エリアＥ２とが左右に分離配置され、それぞれのエリアＥ１，Ｅ２には後方から電線を引き込むための開口部４が形成されて、エリアＥ１，Ｅ２の境界には柱部材３が掛け渡されて成り、更に第１エリアＥ１及び第２エリアＥ２のうち、少なくとも第２エリアＥ２には、中央付近に棒状の梁部材５が横設されると共に、梁部材５により上下に分離された開口部４の何れか一方の中央付近には、中柱７が縦に配置されて成る。【選択図】  図１
2020068610.tif 000002
【特許請求の範囲】
【請求項１】
分電盤ケースの背部を構成し、壁面に固定されて主幹ブレーカ及び複数の分岐ブレーカが組み付けられる分電盤ケースの基台であって、
前記主幹ブレーカが組み付けられる第１エリアと、前記分岐ブレーカが組み付けられる第２エリアとが左右に分離配置され、
それぞれのエリアには後方から電線を引き込むための開口部が形成されて、エリアの境界には柱部材が掛け渡されて成り、
更に前記第１エリア及び前記第２エリアのうち、少なくとも前記第２エリアには、中央付近に棒状の梁部材が横設されると共に、前記梁部材により上下に分離された前記開口部の何れか一方には、少なくとも１本の中柱が縦に配置されて成ることを特徴とする分電盤ケースの基台。
【請求項２】
周囲の縁部を形成して壁面に固定される枠体を有し、前記梁部材は前記枠体の厚みの２分の１以下の厚みで形成され、前記枠体の前面と面一になるよう配置されて、取り付けられる壁面に対して背部に空間を備え、
当該空間を使用して、前記梁部材の背部に電線が上下方向に挿通可能であることを特徴とする請求項１記載の分電盤ケースの基台。
【請求項３】
前記中柱は前記梁部材と共に、前記枠体と一体に形成されて成ることを特徴とする請求項２記載の分電盤ケースの基台。
【発明の詳細な説明】
【技術分野】
【０００１】
本発明は、住宅に設置される分電盤に関し、特に壁面に取り付けられてブレーカ等が組み付けられる分電盤ケースの基台に関する。
【背景技術】
【０００２】
分電盤ケース、特に住宅用の分電盤ケースは、壁面に取り付けられて主幹ブレーカ及び分岐ブレーカが組み付けられる基台を有し、基台の前面がカバーで覆われて箱状に構成されている。
この基台は、分岐ブレーカを横方向に複数列設できるように通常横長の形状を成し、分岐配線等多数の電線が背部から入出できるよう内部の殆どの領域は開口形成されて、枠状に形成されている。そのため、不足する強度を補うために開口部を跨ぐように上下方向に中柱（レール部材）が１つ或いは複数取り付けられている（例えば、特許文献１参照）。
【先行技術文献】
【特許文献】
【０００３】
【特許文献１】特開２０１１−１８８６９３号公報
【発明の概要】
【発明が解決しようとする課題】
【０００４】
上述したように、レール部材を取り付けることで大きな開口部を設けても基台の強度を維持できた。しかしながら、レール部材は横長の開口部に対して縦に取り付けられるため、開口部が左右に分断され、背部から開口部に引き込んだ電線の左右移動がそれにより制限され、左右方向に電線を大きく移動させることができなかった。そのため、大きく移動させたい場合は、引き込んだ電線を分電盤から一度引き抜いて接続先に近い開口部に再度引き込む作業が必要であった。
【０００５】
そこで、本発明はこのような問題点に鑑み、分岐ブレーカへの電線の接続を容易に実施できるよう電線を引き込む開口部を十分な大きさで形成しても、基台の強度を維持できる分電盤ケースの基台を提供することを目的としている。
【課題を解決するための手段】
【０００６】
上記課題を解決する為に、請求項１の発明は、分電盤ケースの背部を構成し、壁面に固定されて主幹ブレーカ及び複数の分岐ブレーカが組み付けられる分電盤ケースの基台であって、主幹ブレーカが組み付けられる第１エリアと、分岐ブレーカが組み付けられる第２エリアとが左右に分離配置され、それぞれのエリアには後方から電線を引き込むための開口部が形成されて、エリアの境界には柱部材が掛け渡されて成り、更に第１エリア及び第２エリアのうち、少なくとも第２エリアには、中央付近に棒状の梁部材が横設されると共に、梁部材により上下に分離された開口部の何れか一方には、少なくとも１本の中柱が縦に配置されて成ることを特徴とする。
この構成によれば、分岐ブレーカが配置される第２エリアにおいて、梁部材により上下に分離された開口部の一方に中柱が配置されることで、第２エリアの強度低下を防止でき、延いてはいては基台の強度を維持できる。一方、第２エリアの他方の開口部は左右方向全体に亘り広い空間を有し、分岐ブレーカが組み付けられる範囲で、分電盤に引き込まれる電線の左右移動に制限が無いよう形成でき、電線の引き回しがし易い。
【０００７】
請求項２の発明は、請求項１に記載の構成において、周囲の縁部を形成して壁面に固定される枠体を有し、梁部材は枠体の厚みの２分の１以下の厚みで形成され、枠体の前面と面一になるよう配置されて、取り付けられる壁面に対して背部に空間を備え、当該空間を使用して、梁部材の背部に電線が上下方向に挿通可能であることを特徴とする。
この構成によれば、梁部材により第２エリアが上下に分離されても、梁部材の背部に電線を挿通させることができ、梁部材の上方から引き込んだ電線であっても、下方まで無理なく引き回しできる。
【０００８】
請求項３の発明は、請求項２に記載の構成において、中柱は梁部材と共に、枠体と一体に形成されて成ることを特徴とする。
この構成によれば、梁部材及び中柱を設けても、全て枠体と一体に形成されているため部材が増える事が無く、組立工程が増えることがない。
【発明の効果】
【０００９】
本発明によれば、分岐ブレーカが配置される第２エリアにおいて、梁部材により上下に分離された開口部の一方に中柱が配置されることで、第２エリアの強度低下を防止でき、延いては基台の強度を維持できる。一方、第２エリアの他方の開口部は左右方向全体に亘り広い空間を有し、分岐ブレーカが組み付けられる範囲で、分電盤に引き込まれる電線の左右移動に制限が無いよう形成でき、電線の引き回しがし易い。
【図面の簡単な説明】
【００１０】
【図１】本発明に係る分電盤ケースの基台の一例を示す斜視図である。
【図２】図１の基台を後方から見た斜視図である。
【図３】基台の正面図である。
【図４】Ａ−Ａ線断面図である。
【図５】配線を挿通した基台の説明図である。
【図６】機器を組み付けた基台の説明図である。
【発明を実施するための形態】
【００１１】
以下、本発明を具体化した実施の形態を、図面を参照して詳細に説明する。図１〜３は本発明に係る分電盤ケースの基台の一例を示し、図１は斜視図、図２が後方から見た斜視図、図３は正面図である。
基台１は、縁部を形成する四角形で横長の枠体２を有し、枠体２の内部は大きく開口形成されている。そして、枠体２の内側には主幹ブレーカを組み付ける第１エリアＥ１と分岐ブレーカを組み付ける第２エリアＥ２とを分ける柱部材３が縦に配置され、開口部４は左側の第１エリアＥ１に対して形成された第１開口部４ａと、右側の第２エリアＥ２に対して形成された第２開口部４ｂとに分離されている。
【００１２】
枠体２は一定の厚み（前後方向の高さ）及び幅を有して形成され、図２に示す様に背面は開口形成されて断面コ字状を成し、内部には補強壁２ａが適宜部位に設けられている。また、第１エリアＥ１及び第２エリアＥ２は、双方とも中央において左右方向に梁部材５（第１梁部材５ａ、第２梁部材５ｂ）が配設され、第１開口部４ａ及び第２開口部４ｂは更に上下に分離されている。即ち、第１エリアＥ１及び第２エリアＥ２は更に上下に分離されている。
更に、第２梁部材５ｂにより上下に分離された第２開口部４ｂのうち、上側の開口部には中央付近に中柱７が縦に配置されている。但し、これら柱部材３，梁部材５及び中柱７は、枠体２と一体に形成されている。
【００１３】
図４はＡ−Ａ線断面図であり、Ｈ１は枠体２の厚み、Ｈ２は第２梁部材５ｂの厚みを示している。図４に示すように、第２梁部材５ｂの前面は枠体２の前面と略同一位置に配置されているが、厚みは枠体２の厚みＨ１の２分の１以下で形成されている。これにより、第２梁部材５ｂの背部には高さＤ１の隙間が形成され、第２梁部材５ｂの背部に電線を上下に挿通可能としている。
また図２に示す様に、第２梁部材５ｂの背部は平坦な面で形成され、第２梁部材５ｂの背部に電線９をスムーズに挿通できるよう形成されている。
【００１４】
図５は、この第２梁部材５ｂの背部空間を利用して電線９を引き込んだ様子を示している。図５では、基台１の背部上方から引き込んだ電線９が、第２梁部材５ｂの背部に形成されている隙間から下方に挿通されて、第２開口部４ｂの下部から引き出された状態を示している。
このように、第２梁部材５ｂにより第２エリアＥ２が上下に分離されても、第２梁部材５ｂの背部に電線９を挿通させることができ、第２梁部材５ｂの上方から引き込んだ電線９であっても、下方まで無理なく引き回しできる。
【００１５】
尚、第１梁部材５ａも第２梁部材５ｂと同様に背部に空間を有しており、第１エリアＥ１においても第１梁部材５ａを介して電線の上下方向の挿通が可能となっている。一方、中柱７は枠体２に近い厚みを有して、背部が基台１を取り付けた壁面に当接するよう形成され、後方に高さＤ１の隙間を有する第２梁部材５ｂの変形を防止する形状となっている。
【００１６】
図６は機器を組み付けた状態を示している。第１エリアＥ１に主幹ブレーカ１１が組み付けられ、第２エリアＥ２に分岐ブレーカ１２が組み付けられている。尚、１３は金属板から成る架台であり、基台１上に開口部４を跨ぐように架台１３が取り付けられ、この架台１３に主幹ブレーカ１１及び分岐ブレーカ１２は組み付けられている。
【００１７】
ここで、第２開口部４ｂの大きさと組み付けた分岐ブレーカ１２の関係を説明する。第２開口部４ｂは第２エリアＥ２全体に亘り開口形成され、上記図３に示す第２開口部４ｂの幅Ｗ１は、ここでは１６０ｍｍとなっている。結果、１０個以上の分岐ブレーカの組み付けを可能としている。
そして、主幹ブレーカ１１の二次側から第２エリアＥ２の上部に配設された主電路を構成する主幹バー１４は、第２エリアＥ２において横方向に延設され、この主幹バー１４に対して分岐ブレーカ１２の一次側端子が接続されている。
【００１８】
尚、図６では主幹バー１４は保護カバー１５で覆われている状態を示している。また、分岐ブレーカ１２は、幅が１０ｍｍであり、上部に一次側端子（電源側端子）、下部に二次側端子（負荷側端子）が配置されて組み付けられている。従って、基台１は第２開口部４ｂの全域に亘り分岐ブレーカ１２が組み付けられると、１６個の分岐ブレーカ１２が組み付けられる構成となっている。
こうして組み付けられた分岐ブレーカ１２の二次側端子は、上記電線９のように、第２エリアＥ２の第２開口部４ｂを介して背部から引き込まれた電線にそれぞれ接続される。
【００１９】
このように、分岐ブレーカ１２が配置される第２エリアＥ２において、梁部材５により上下に分離された第２開口部４ｂの一方にが中柱７が配置されることで、第２エリアＥ２の強度低下を防止でき、引いては基台１の強度を維持できる。一方、第２開口部４ｂの他方の開口部は左右方向全体に亘り広い空間を維持して、分岐ブレーカ１２が組み付けられる範囲で、分電盤に引き込まれる電線９の左右移動に制限が無いよう形成でき、電線９の引き回しがし易い。
また、梁部材５及び中柱７を設けても、全て枠体２と一体に形成されているため部材が増える事が無い。
【００２０】
尚、上記実施形態では、第２エリアＥ２の上部に中柱７を配置しているが、分岐ブレーカ１２の一次側端子と二次側端子が逆向きに配置された場合は、中柱７を第２開口部４ｂの下部に配置して、第２開口部４ｂの上部を広く開放させれば良い。
また、中柱７は枠体２及び梁部材５と一体に形成されているが、ねじ止め等で分離可能に取り付けて、取付位置を上下で変更可能としても良い。
更に、第２開口部４ｂには中柱７を１本配置した構成を示しているが、開口部の形状や大きさに合わせて複数本配置しても良い。
【符号の説明】
【００２１】
１・・基台、２・・枠体、３・・柱部材、４・・開口部、４ｂ・・第２開口部（開口部）、５・・梁部材、５ｂ・・第２梁部材（梁部材）、７・・中柱、９・電線、１１・・主幹ブレーカ、１２・・分岐ブレーカ、１４・・主幹バー、Ｅ１・・第１エリア、Ｅ２・・第２エリア。
【図１】
2020068610.tif 000003
【図２】
2020068610.tif 000004
【図３】
2020068610.tif 000005
【図４】
2020068610.tif 000006
【図５】
2020068610.tif 000007
【図６】
2020068610.tif 000008